(57)【要約】【課題】情報処理装置には、例えば、ＷＯＬ信号の待機状態において、スタンバイ電源を生成するためにＡＣ電源を電圧降下させる電源１次回路やスタンバイ電源を生成するスタンバイ回路が動作しており、電力が無駄に消費されていた。このため、情報処理装置で消費される電力を低減することが課題となっていた。【解決手段】実施形態の情報処理装置は、第１の電力が給電される第１の給電部を備える。また、第２の電力が給電される第２の給電部を備える。また、給電された前記第２の電力を用い、所望の電源を生成する電源生成部を備える。また、前記第２の給電部と前記電源生成部の間に設けられ前記電源生成部への前記第２の電力給電ＯＮ／ＯＦＦを切り替え制御する給電制御部を備え、前記第１の給電部に前記第１の電力が給電された場合に、前記電源生成部への前記第２の電力給電をＯＮにする。【選択図】  図２
2012089065.tif 000002
【特許請求の範囲】
【請求項１】
第１の電力が給電される第１の給電部と、
第２の電力が給電される第２の給電部と、
給電された前記第２の電力を用い、所望の電源を生成する電源生成部と、
前記第２の給電部と前記電源生成部の間に設けられ前記電源生成部への前記第２の電力給電ＯＮ／ＯＦＦを切り替え制御する給電制御部を備え、前記第１の給電部に前記第１の電力が給電された場合に、前記電源生成部への前記第２の電力給電をＯＮにする情報処理装置。
【請求項２】
前記第１の電力はＤＣ給電され、前記第２の電力はＡＣ給電される請求項１に記載の情報処理装置。
【請求項３】
前記第１の電力が給電された場合に、前記第２の電力の給電ＯＮを指示する指示信号が出力される請求項１に記載の情報処理装置。
【請求項４】
前記指示信号はＷＯＬ信号を含む請求項２に記載の情報処理装置。
【請求項５】
前記第１の電力はネットワークを介して給電され、前記第２の電力は商用電源が用いられる請求項１に記載の情報処理装置。
【請求項６】
第１の電力が給電されるステップと、
第２の電力が給電されるステップと、
給電された前記第２の電力を用い、所望の電源を生成するステップと、
前記第２の電力が給電される部分と前記所望の電源を生成する部分の間で、前記所望の電源を生成する部分への前記第２の電力給電ＯＮ／ＯＦＦを切り替え制御するステップを備え、前記第１の電力が給電される部分に前記第１の電力が給電された場合に、前記所望の電源を生成する部分への前記第２の電力給電をＯＮにする情報処理方法。
【請求項７】
前記請求項１に記載の情報処理装置と、
クライアントが接続された場合に、前記情報処理装置に第１の電力を給電する給電制御装置を備える情報処理システム。
【発明の詳細な説明】
【技術分野】
【０００１】
本発明の実施形態は、Ｈｕｂ（ハブ）に接続される情報処理装置に関する。
【背景技術】
【０００２】
近年、ＬＡＮ（Local Area Network）等の普及に伴い、Ｈｕｂ（ハブ）に接続される情報処理装置が普及している。
また、情報処理装置がＬＡＮを使った機能の一つにＷＡＫＥ  ＯＮ  ＬＡＮ（ＷＯＬ）がある。この機能はＷＯＬ対応のＬＡＮボードを使うことで、休止状態やスタンバイ状態の情報処理装置を、他の情報処理装置から起動することができる機能である。
【０００３】
これらの情報処理装置は、例えば、ＷＯＬ信号の待機状態において、スタンバイ電源がＬＡＮコントローラと電源ＯＮ／ＯＦＦ制御回路に給電されている。
そして、このスタンバイ電源を生成するために、ＡＣ電源を電圧降下させる電源１次回路やスタンバイ電源を生成するスタンバイ回路が動作しており、情報処理装置において電力が無駄に消費されていた。また、このように無駄に消費される電力が熱に変換され、情報処理装置が熱くなってしまうという問題もあった。
【０００４】
このため、情報処理装置で消費される電力を低減することが望まれていた。
【先行技術文献】
【特許文献】
【０００５】
【特許文献１】特開２００９−８１７２３号公報
【発明の概要】
【発明が解決しようとする課題】
【０００６】
情報処理装置には、例えば、ＷＯＬ信号の待機状態において、スタンバイ電源を生成するためにＡＣ電源を電圧降下させる電源１次回路やスタンバイ電源を生成するスタンバイ回路が動作しており、電力が無駄に消費されていた。
【０００７】
このため、情報処理装置で消費される電力を低減することが課題となっていた。
【課題を解決するための手段】
【０００８】
実施形態の情報処理装置は、第１の電力が給電される第１の給電部を備える。
また、第２の電力が給電される第２の給電部を備える。
また、給電された前記第２の電力を用い、所望の電源を生成する電源生成部を備える。
また、前記第２の給電部と前記電源生成部の間に設けられ前記電源生成部への前記第２の電力給電ＯＮ／ＯＦＦを切り替え制御する給電制御部を備え、前記第１の給電部に前記第１の電力が給電された場合に、前記電源生成部への前記第２の電力給電をＯＮにする。
【図面の簡単な説明】
【０００９】
【図１】実施形態に係わる情報処理装置を備える情報処理システムの一例を示す図。
【図２】実施形態に係わる情報処理装置の構成の一例を示すブロック図。
【図３】実施形態に係わる情報処理装置を備える情報処理システムで用いられるＨｕｂ（ハブ）の動作例を説明するフローチャート。
【図４】実施形態に係わる情報処理装置の動作例を説明するフローチャート。
【図５】実施形態に係わる情報処理装置の構成の他の例を示すブロック図。
【図６】他の実施形態に係わる情報処理装置を備える情報処理システムの一例を示す図。
【発明を実施するための形態】
【００１０】
以下、図面を参照し、実施の形態を説明する。
図１は、実施形態に係わる情報処理装置を備える情報処理システムの一例を示す図である。
符号１ａ、１ｂ、１ｃ、１ｄはクライアントであり、例えばＰＣ（パーソナルコンピュータ）等である。符号１０はＨｕｂ（ハブ）である。
符号１１はＨｕｂ（ハブ）１０に設けられるＤＣ給電制御装置である。符号１２ａ、１２ｂ、１２ｃ、１２ｄ、１２ｅ、１２ｆ、１２ｇ、１２ｈ、１２ｉはクライアント用ポートである。例えば、クライアント（１ａ、１ｂ、１ｃ、１ｄ）はクライアント用ポート（１２ａ、１２ｂ、１２ｃ、１２ｄ、１２ｅ、１２ｆ、１２ｇ、１２ｈ、１２ｉ）を介し、Ｈｕｂ（ハブ）１０に接続される。
【００１１】
符号１３ａ、１３ｂはＤＣ給電用スイッチである。符号１４ａ、１４ｂは情報機器用ポートである。符号１５ａ、１５ｂはＤＣ給電用ＬＡＮである。符号２０ａ、２０ｂは情報処理装置（サーバ）である。
【００１２】
Ｈｕｂ（ハブ）１０は情報機器用ポート（１４ａ、１４ｂ）、ＤＣ給電用ＬＡＮ（１５ａ、１５ｂ）を介し、情報処理装置（サーバ）２０ａ、２０ｂに接続される。
また、Ｈｕｂ（ハブ）１０のＤＣ給電制御装置１１は、ＤＣ給電用スイッチ（１３ａ、１３ｂ）を制御し、所望の情報処理装置（サーバ）２０ａ、２０ｂにＤＣ給電を行う。
【００１３】
このＨｕｂ（ハブ）１０と情報処理装置（サーバ）２０ａ、２０ｂの接続は、例えば、イーサネット（登録商標）が用いられる。
図２は、実施形態に係わる情報処理装置の構成の一例を示すブロック図である。
符号２１は電源回路、符号２２はＡＣ入力スイッチ、符号２３は１次回路、符号２４は２次回路、符号２５はスタンバイ回路である。
電源回路２１は、ＡＣ入力スイッチ２２、１次回路２３、２次回路２４、スタンバイ回路２５を構成する。
この実施の形態においては、電源回路２１のＡＣ入力スイッチ２２にＡＣ電源が給電される。そして、ＡＣ入力スイッチ２２を介し、１次回路２３にＡＣ電源が給電される。
【００１４】
１次回路２３は給電されたＡＣ電源の電圧を降下させる回路である。例えばＡＣ１００Ｖの電源をＡＣ３．３Ｖの電源に降下させる。１次回路２３で３．３Ｖに降下されたＡＣ電源はスタンバイ回路２５および２次回路２４に供給される。
【００１５】
スタンバイ回路２５は３．３ＶのＡＣ電源を用い、上記のように情報処理装置（サーバ）２０ａ、２０ｂをスタンバイ状態に維持する。
また、２次回路２４は３．３ＶのＡＣ電源を３．３ＶのＤＣ電源に変換し、出力する。
符号２６は電源制御回路、符号２７はＬＡＮコントローラ、符号２８は電源ＯＮ／ＯＦＦ制御回路、符号２９は電源ボタンである。
ここでは、電源制御回路２６はＬＡＮコントローラ２７、電源ＯＮ／ＯＦＦ制御回路２８を構成する。
電源ボタン２９はユーザに操作され、この電源ボタン２９が操作された情報が電源ボタン信号として電源ＯＮ／ＯＦＦ制御回路２８に送信される。
電源ＯＮ／ＯＦＦ制御回路２８は上記電源ボタン信号を受信し、電源回路２１にＤＣ電源送出のＯＮ／ＯＦＦ指示を送信する（電源ＯＮ／ＯＦＦ信号）。
この電源ＯＮ／ＯＦＦ信号を受信した電源回路２１は、２次回路２４から３．３ＶのＤＣ電源を電源制御回路２６に向けて出力する。
また、上記のように、ＬＡＮコントローラ２７はＨｕｂ（ハブ）１０と例えば、イーサネット（登録商標）規格のＬＡＮで接続され、例えば３．３ＶのＤＣ電源が給電される。
【００１６】
イーサネット（登録商標）はコンピュータネットワークの規格のひとつで、世界中で使用されている技術規格である。
ＬＡＮコントローラ２７は、このＤＣ給電を受けるとＡＣ入力スイッチ２２をＯＮ、すなわち上記ＡＣ給電が上記１次回路２３に供給されるようにＷＯＬ（ＷＡＫＥ  ＯＮ  ＬＡＮ）信号を用い、制御する。
【００１７】
この実施の形態においては情報処理装置（サーバ）２０ａ、２０ｂは、Ｈｕｂ（ハブ）１０から第１の電力（ＤＣ電源）が給電される。また、家庭内コンセント等の外部電源から第２の電力（商用ＡＣ電源）が給電される。
【００１８】
電源生成部（電源回路２１）は給電された第２の電力（商用電源）を用い、所望の電源を生成する。
給電制御部（ＬＡＮコントローラ２７、ＡＣ入力スイッチ２２）は商用ＡＣ電源受信端子（図示せず）と電源生成部（電源回路２１）の間に設けられ、電源生成部（電源回路２１）への第２の電力（商用ＡＣ電源）のＯＮ／ＯＦＦを切り替え制御する。そして、情報処理装置（サーバ）２０ａ、２０ｂの第１の給電部に第１の電力（ＤＣ電源）が給電された場合に、電源生成部（電源回路２１）への第２の電力（商用ＡＣ電源）給電をＯＮにする。
【００１９】
すなわち、この実施の形態においては、情報処理装置（サーバ）２０ａ、２０ｂとクライアント（１ａ、１ｂ、１ｃ、１ｄ）がＨｕｂ（ハブ）１０に接続され、情報処理装置（サーバ）２０ａ、２０ｂへのアクセスの可能性があった場合に、Ｈｕｂ（ハブ）１０は情報処理装置（サーバ）２０ａ、２０ｂが接続されている情報機器用ポート（１４ａ、１４ｂ）のＤＣ給電を開始する。
【００２０】
そして、このＤＣ給電を受けた情報処理装置（サーバ）２０ａ、２０ｂがＡＣ入力スイッチ２２をＯＮ（オン）にし、上記のように３．３ＶのＤＣ電源を情報処理装置（サーバ）２０ａ、２０ｂに供給する。
【００２１】
この３．３ＶのＤＣ電源供給を受けると、情報処理装置（サーバ）２０ａ、２０ｂは起動可能になる。
このように、情報処理装置（サーバ）２０ａ、２０ｂが使用されていない場合の待機電力を低減する。
なお、ＨＵＢ（ハブ）１０内に構成されるＤＣ給電制御回路１１は、クライアント（１ａ、１ｂ、１ｃ、１ｄ）が接続されているクライアント用ポート（１２ａ、１２ｂ、１２ｃ、１２ｄ、１２ｅ、１２ｆ、１２ｇ、１２ｈ、１２ｉ）および情報処理装置（サーバ）２０ａ、２０ｂが接続されている情報機器用ポート（１４ａ、１４ｂ）を監視し、クライアント（１ａ、１ｂ、１ｃ、１ｄ）が接続されているか否かを判断し、情報処理装置（サーバ）２０ａ、２０ｂが接続されている情報機器用ポート（１４ａ、１４ｂ）のＤＣ給電用ＳＷ（１３ａ、１３ｂ）をＯＮ制御する。
【００２２】
また、情報処理装置（サーバ）２０ａ、２０ｂが接続されている情報機器用ポート（１４ａ、１４ｂ）は、予め決められていることも可能である。あるいは、適宜設定可能である。
【００２３】
また、ＤＣ給電制御回路１１がクライアント（１ａ、１ｂ、１ｃ、１ｄ）の接続を判断する際は、リンクの成立や何がしかのパケットの送出、あるいは情報処理装置（サーバ）２０ａ、２０ｂへのパケットの送出を用い、判断することも可能である。
【００２４】
そして、この実施の形態においては、サーバ２０ａの電源回路２１の１次側にＡＣ入力スイッチ２２が構成され、そのスイッチ２２が電源外部からの信号（ＷＯＬ信号）でＯＮ／ＯＦＦ制御可能に構成される。
【００２５】
ここでは、ＬＡＮコントローラ２７に給電されるＤＣ給電をトリガーとし、ＬＡＮコントローラ２７は電源回路２１にＷＯＬ信号を送信する。すなわち、ＬＡＮコントローラ２７から、起動要求があることを電源回路２１に通知することが可能である。
【００２６】
またここでは、サーバ２０ａは、ある所定の時刻にあるいは一定時間アクセスがないと自動的に電源遮断するように構成する。
また、ＨＵＢ（ハブ）１０は、ある所定の時刻あるいは一定時間パケット送付が行われないと自動的にＤＣ給電ＳＷ（１３ａ、１３ｂ）をＯＦＦ（オフ）にする。
また、サーバ２０ａは、ＬＡＮ（１５ａ、１５ｂ）からＤＣ給電がＯＦＦ（オフ）になっても、ＡＣ入力スイッチ２２は自身のＤＣオフ→ＡＣオフのシーケンスに従うようにする。
【００２７】
図３は、実施形態に係わる情報処理装置を備える情報処理システムで用いられるＨｕｂ（ハブ）の動作例を説明するフローチャートである。
符号Ｓ１００はここでの開始ステップである。続いて符合Ｓ１０１を付したステップへ進む。
符号Ｓ１０１はＨｕｂ（ハブ）１０に例えばＰＣ等のクライアントを接続するステップである。クライアントはここではＰＣを例に取ったが、ＰＣの他に携帯型電子機器やＴＶ等でも良い。続いて符合Ｓ１０２を付したステップへ進む。
【００２８】
符号Ｓ１０２は、Ｈｕｂ（ハブ）１０にクライアントは接続されたかを判別するステップである。この判別は、例えば、クライアントとのリンクが成立したか、クライアントから通信パケットが送出されたか、Ｈｕｂ（ハブ）１０はサーバ２０ａにアクセスしたかを検出し、判別する。
【００２９】
Ｈｕｂ（ハブ）１０にクライアントが接続されたと判別された場合は符合Ｓ１０３を付したステップへ進む（Ｓ１０２のＹｅｓ）。Ｈｕｂ（ハブ）１０にクライアントが接続されないと判別された場合は符合Ｓ１０２を付したステップへ戻り、この処理を繰り返す（Ｓ１０２のＮｏ）。
【００３０】
符号Ｓ１０３は所望のサーバ２０ａが接続されているポート１４ａへのＤＣ給電用スイッチ１３ａをＯＮにするステップである。続いて符合Ｓ１０４を付したステップへ進む。
【００３１】
符号Ｓ１０４はＬＡＮ１５ａを介し、サーバ２０ａにＤＣ給電するステップである。続いて符合Ｓ１０５を付したステップへ進む。
符号Ｓ１０５は終了ステップであり、ここでの処理は終了する。
図４は、実施形態に係わる情報処理装置の動作例を説明するフローチャートである。
符号Ｓ２００はここでの開始ステップである。続いて符合Ｓ２０１を付したステップへ進む。
符号Ｓ２０１はＬＡＮ１５を介し、サーバ２０ａにＤＣ給電されたかを判別するステップである。サーバ２０ａにＤＣ給電されたと判別された場合は符合Ｓ２０２を付したステップへ進む（Ｓ２０１のＹｅｓ）。サーバ２０ａにＤＣ給電されたと判別されない場合は符合Ｓ２０１を付したステップへ戻り、上記処理を繰り返す（Ｓ２０１のＮｏ）。
【００３２】
符号Ｓ２０２はＬＡＮコントローラ２７がＡＣ入力スイッチ２２にＷＯＬ信号を送信するステップである。続いて符合Ｓ２０３を付したステップへ進む。
符号Ｓ２０３はＬＡＮコントローラ２７がＷＯＬ信号を受信したかを判別するステップである。ＷＯＬ信号を受信したと判別される場合は符合Ｓ２０４を付したステップへ進む（Ｓ２０３のＹｅｓ）。ＷＯＬ信号を受信したと判別されない場合は符合Ｓ２０３を付したステップへ戻り、処理を繰り返す（Ｓ２０３のＮｏ）。
【００３３】
符号Ｓ２０４はＡＣ入力スイッチ２２をＯＮにし、サーバ２０ａの電源用回路２１にＡＣ電源を供給するステップである。続いて符合Ｓ２０５を付したステップへ進む。
【００３４】
符号Ｓ２０５は電源用回路２１にＡＣ電源が供給されたことにより、サーバ２０ａが起動可能になるステップである。続いて符合Ｓ２０６を付したステップへ進む。
符号Ｓ２０６は終了ステップであり、ここでの処理は終了する。
すなわち、サーバ２０ａはWOL信号待機状態の場合、AC入力スイッチ２２はOFFの状態であり、電源回路２１の1次回路２３、スタンバイ回路２５、2次回路２４は動作していない。
【００３５】
このとき、ＬＡＮコントローラ２７はLANからのDC給電を待っている。そして、LANからDC給電されたとき、LANコントローラ２７は、電源回路２１内のAC入力スイッチ２２にON信号を出力し、電源回路２１内のAC入力スイッチ２２がONする。
【００３６】
それによって、電源回路２１の1次回路２３、スタンバイ回路２５、2次回路２４が動作し、電源制御回路２にDC出力、スタンバイ電源が供給される。
このように構成することにより、サーバ２０ａの電源回路２１は、ＷＯＬ信号待機状態において、ＡＣ入力（給電）は遮断されている。このため、電源回路２１において、無駄に電力を消費することを低減することが可能になり、サーバ２０ａ内の電源損失を削減できる。
【００３７】
図５は、実施形態に係わる情報処理装置の構成の他の例を示すブロック図である。
上記図２と同じ構成については、同一の符号を付し、説明を省略する。
この実施の形態においては、電源ボタン２９から出力される電源ボタン信号が電源ＯＮ／ＯＦＦ制御回路２８に加え、ＡＣ入力スイッチ２２にも入力される。
また、スタンバイ回路２５から出力されるスタンバイ電源が電源ＯＮ／ＯＦＦ制御回路２８に入力される。
このように電源ボタン２９から出力される電源ボタン信号を用い、電源回路２１内のＡＣ入力スイッチ２２をＯＮ／ＯＦＦ制御できるように構成することにより、例えば、ＬＡＮが接続されていない環境においても、ユーザが電源ボタン２９を押すことにより、サーバ２０ａを起動できるようにすることが可能である。
【００３８】
図６は、他の実施形態に係わる情報処理装置を備える情報処理システムの一例を示す図である。
ここでも上記図１と同じ構成については、同一の符号を付し、説明を省略する。
ここでは、情報処理装置の他の例として、サーバに代え、プリンタ２０ｃやＰＣ２０ｄを用いている。
このように、この実施の形態においては、情報処理装置はサーバに限られることなく、プリンタ２０ｃやＰＣ２０ｄにも適用することが可能である。
上記のように構成することによって、この発明の実施の形態においては、例えばＷＯＬ信号待機状態において、ＡＣ入力は遮断されるため、電源回路２１で消費される電力を低減することが可能となる。これにより、情報処理装置で消費される電力を低減することが可能になる。
【００３９】
なお、上記実施形態は、記述そのものに限定されるものではなく、実施段階では、その趣旨を逸脱しない範囲で、構成要素を種々変形して具体化することが可能である。
【符号の説明】
【００４０】
１ａ、１ｂ、１ｃ、１ｄ…クライアント（ＰＣ）、２０…Ｈｕｂ（ハブ）、１１…ＤＣ給電制御装置、１２ａ、１２ｂ、１２ｃ、１２ｄ、１２ｅ、１２ｆ、１２ｇ、１２ｈ、１２ｉ…クライアント用ポート、１３ａ、１３ｂ…ＤＣ給電用スイッチ、１４ａ、１４ｂ…情報機器用ポート、１５ａ、１５ｂ…ＤＣ給電用ＬＡＮ、２０ａ、２０ｂ…情報処理装置（サーバ）、２１…電源回路、２２…ＡＣ入力スイッチ、２３…１次回路、２４…２次回路、２５…スタンバイ回路、２６…電源制御回路、２７…ＬＡＮコントローラ、２８…電源ＯＮ／ＯＦＦ制御回路、２９…電源ボタン。
【図１】
2012089065.tif 000003
【図２】
2012089065.tif 000004
【図３】
2012089065.tif 000005
【図４】
2012089065.tif 000006
【図５】
2012089065.tif 000007
【図６】
2012089065.tif 000008